(57)【特許請求の範囲】
【請求項１】
連続搬送される被装着体に装着された熱収縮性フィルムを加熱収縮させて装着する連続加熱装置であって、加熱収縮を、熱収縮性フィルムを予備加熱する予備加熱部と、この予備加熱部の搬送下流側に設けられ、予備加熱された熱収縮性フィルムを収縮させて装着する本加熱部とで構成し、この本加熱部、搬送上に仮想した加熱中心位置に対して略点対称に向かい合う位置に、少なくとも二対のスリットノズルを配置し、予備加熱部と本加熱部との間の加熱部仕切り板、及び上流側のスリットノズルと加熱部仕切り板との間の本加熱部内仕切り板から成る仕切り部材を設け、少なくとも一対のスリットノズルから前記加熱中心位置に向けて熱風または蒸気を吹き付けると共に、前記仕切り部材によって形成された熱風または蒸気を循環させる回収口部を有することを特徴とする連続加熱装置。
【請求項２】
前記予備加熱部を、前記熱収縮性フィルムを収縮開始温度手前まで予備加熱するとともに、前記被装着体の一部に仮止め可能に構成したことを特徴とする請求項１記載の連続加熱装置。
【請求項３】
前記本加熱部の搬送方向両側下端部に回収口部を有することを特徴とする請求項１または２記載の連続加熱装置。
【請求項４】
前記スリットノズルを二対で構成し、全てのスリットノズルを前記加熱中心位置に向けて吹き付けることを特徴とする請求項１〜３のいずれかに記載の連続加熱装置。
【請求項５】
前記スリットノズルを二対で構成し、一対のスリットノズルを前記加熱中心位置に向けた方向に対する角度より大きく前記搬送方向と直交する方向に対する角度より小さい角度で吹き付けることを特徴とする請求項１〜４のいずれかに記載の連続加熱装置。
【請求項６】
前記本加熱部に設ける搬送手段を、少なくとも前記被装着体を吸引して搬送可能な搬送手段としたことを特徴とする請求項１〜５のいずれかに記載の連続加熱装置。
【請求項７】
前記被装着体が、異形ボトルであることを特徴とする請求項１〜６のいずれかに記載の連続加熱装置。
【発明の詳細な説明】
【技術分野】
【０００１】
この発明は連続加熱装置に関し、熱収縮性フィルム（シュリンクフィルム）を容器等の被装着体に連続加熱装置（シュリンクオーブン）で加熱収縮させて装着する場合にフィルムにしわやムラを発生させずに装着できるようにしたもので、特に横断面形状が一定でない異形ボトルへの加熱装着に好適なものである。
【背景技術】
【０００２】
ガラスビン、金属缶、プラスチックボトルなどの容器を被装着体としてその包装やラベルの取り付けのため熱収縮性フィルム（シュリンクフィルム）を被せるようにした後、トンネル状の連続加熱装置（シュリンクオーブン）を用いて搬送しながら連続的に加熱収縮させて装着することが行われている。
【０００３】
このような熱収縮性フィルムの被装着体への加熱収縮による装着には、均一に加熱して収縮させることがしわやムラの発生を防止するために重要であり、これまでは、トンネル状の加熱装置を数ゾーンに分割し、各ゾーンの両側にサイドチャンバーを配置し、サードチャンバーに取り付けた多数のパイプノズルから熱風あるいは蒸気を吹き付けるようにしていた。
【０００４】
しかし、両側から熱風などを吹き付けるため、被装着体の前後の加熱が不十分になる場合があり、これを解消するため種々の提案がなされている。
【０００５】
例えば特許文献１のシュリンクトンネルでは、移送方向に対して斜め後方から熱風や蒸気を当てるようにしている。
【０００６】
また、特許文献２の加熱装置では、図7に概略平面構造を示すように、加熱中心Ｏに搬送されるボトルＢの周囲に４つのノズルＮを配置し、対角方向Ｄに対して同一側に角度θ傾いた方向に熱風を吹き付けて渦を発生するようにして加熱している。
【特許文献１】実開平６−３９７１３号公報
【特許文献２】特開２００３−８１２１９号公報
【発明の開示】
【発明が解決しようとする課題】
【０００７】
ところが、移送方向に対して斜め後方から熱風を吹き付ける場合には、前方の加熱が不十分になり易いという問題がある。
【０００８】
また、渦を形成するよう熱風を吹き付ける場合には、各ノズルＮから噴き出す熱風が隣接するノズルからの熱風をそれぞれ被装着体から離すように作用し、必ずしも有効に加熱に利用できず、しかも発生する渦によってボトルの外側にかぶせた熱収縮性フィルムが動いたり、安定しないなどの問題があり、特に、被装着体である容器が円筒断面以外の異形ボトル（非対称３次元形状）の場合には、均一な渦が発生せず、これらの問題が一層顕著になるという問題がある。
【０００９】
この発明は、上記従来技術の課題に鑑みてなされたもので、異形ボトルなどであっても均一に加熱してしわやムラの発生を防止して装着することができる連続加熱装置を提供しようとするものである。
【課題を解決するための手段】
【００１８】
上記従来技術の有する課題を解決するためこの発明の請求項１記載の連続加熱装置は、連続搬送される被装着体に装着された熱収縮性フィルムを加熱収縮させて装着する連続加熱装置であって、加熱収縮を、熱収縮性フィルムを予備加熱する予備加熱部と、この予備加熱部の搬送下流側に設けられ、予備加熱された熱収縮性フィルムを収縮させて装着する本加熱部とで構成し、この本加熱部、搬送上に仮想した加熱中心位置に対して略点対称に向かい合う位置に、少なくとも二対のスリットノズルを配置し、予備加熱部と本加熱部との間の加熱部仕切り板、及び上流側のスリットノズルと加熱部仕切り板との間の本加熱部内仕切り板から成る仕切り部材を設け、少なくとも一対のスリットノズルから前記加熱中心位置に向けて熱風または蒸気を吹き付けると共に、前記仕切り部材によって形成された熱風または蒸気を循環させる回収口部を有することを特徴とするものである。
【００１９】
また、この発明の請求項２記載の連続加熱装置は、請求項１記載の構成に加え、前記予備加熱部を、前記熱収縮性フィルムを収縮開始温度手前まで予備加熱するとともに、前記被装着体の一部に仮止め可能に構成したことを特徴とするものである。
【００２１】
また、この発明の請求項３記載の連続加熱装置は、請求項１または２記載の構成に加え、前記本加熱部の搬送方向両側下端部に回収口部を有することを特徴とするものである。
【００２２】
さらに、この発明の請求項４記載の連続加熱装置は、請求項１〜３のいずれかに記載の構成に加え、前記スリットノズルを二対で構成し、全てのスリットノズルを前記加熱中心位置に向けて吹き付けることを特徴とするものである。
【００２３】
また、この発明の請求項５記載の連続加熱装置は、請求項１〜４のいずれかに記載の構成に加え、前記スリットノズルを二対で構成し、一対のスリットノズルを前記加熱中心位置に向けた方向に対する角度より大きく前記搬送方向と直交する方向に対する角度より小さい角度で吹き付けることを特徴とするものである。
【００２４】
さらに、この発明の請求項６記載の連続加熱装置は、請求項１〜５のいずれかに記載の構成に加え、前記本加熱部に設ける搬送手段を、少なくとも前記被装着体を吸引して搬送可能な搬送手段としたことを特徴とするものである。
【００２５】
また、この発明の請求項７記載の連続加熱装置は、請求項１〜６のいずれかに記載の構成に加え、前記被装着体が、異形ボトルであることを特徴とするものである。
【００２６】
なお、ここで、異形ボトルとは、通常の胴部が円筒形状や矩形形状などの横断面形状が一様なボトルと異なるものをいい、例えば図６に示すように、胴部に凹凸が形成されたボトルＢ１，Ｂ２や胴部の横断面形状が円形であっても上下方向に一様でないボトルＢ３，Ｂ４なども含み、非対称３次元形状のボトルなどをいう。
【発明の効果】
【００３６】
この発明の請求項１記載の連続加熱装置によれば、連続搬送される被装着体に装着された熱収縮性フィルムを加熱収縮させて装着する連続加熱装置であって、加熱収縮を、熱収縮性フィルムを予備加熱する予備加熱部と、この予備加熱部の搬送下流側に設けられ、予備加熱された熱収縮性フィルムを収縮させて装着する本加熱部とで構成し、この本加熱部、搬送上に仮想した加熱中心位置に対して略点対称に向かい合う位置に、少なくとも二対のスリットノズルを配置し、予備加熱部と本加熱部との間の加熱部仕切り板、及び上流側のスリットノズルと加熱部仕切り板との間の本加熱部内仕切り板から成る仕切り部材を設け、少なくとも一対のスリットノズルから前記加熱中心位置に向けて熱風または蒸気を吹き付けると共に、前記仕切り部材によって形成された熱風または蒸気を循環させる回収口部を有するので、予熱した熱収縮性フィルムを本加熱部に搬送し、搬送上に仮想した加熱中心位置に対して略点対称に向かい合う位置に少なくとも二対のスリットノズルを配置し、少なくとも一対のスリットノズルからは当該加熱中心に向けて熱風または蒸気を吹き付けることで、被装着体の前後に位置する部分を均一かつ十分に加熱することができ、加熱後の熱風や蒸気を本加熱部内の回収口部から回収して循環することで、予備加熱部への熱風や蒸気の影響を抑えることで予備加熱部での温度制御異常の発生を防止することができるとともに、本加熱部の入口側が高温になることも防止することができる。
さらに、加熱後の熱風や蒸気を仕切り部材で仕切られた内側の本加熱部内の回収口部から回収して循環することで、予備加熱部への熱風や蒸気の影響を抑えることで予備加熱部での温度制御異常の発生を防止することができるとともに、本加熱部の入口側が高温になることも防止することができる。
【００３７】
これにより、異形ボトルなどであっても均一に加熱してしわやムラの発生を防止して熱収縮性フィルムを加熱収縮させて装着することができる。
【００３８】
また、この発明の請求項２記載の連続加熱装置によれば、前記予備加熱部を、前記熱収縮性フィルムを収縮開始温度手前まで予備加熱するとともに、前記被装着体の一部に仮止め可能に構成したので、予備加熱部でフィルムを収縮開始温度手前まで予備加熱するとともに、熱収縮性フィルムを仮止めすることで、本加熱部での熱風や蒸気の吹き付けによりフィルムが動くことを防止できるとともに、一層正確な位置にフィルムを加熱して収縮させることができる。
【００４０】
さらに、この発明の請求項３記載の連続加熱装置によれば、前記本加熱部の搬送方向両側下端部に回収口部を有するので、加熱後の熱風や蒸気を仕切り部材で仕切られた内側の本加熱部内の回収口部から回収して循環することで、予備加熱部への熱風や蒸気の影響を抑えることで予備加熱部での温度制御異常の発生を防止することができるとともに、本加熱部の入口側が高温になることも防止することができる。
【００４１】
さらに、この発明の請求項４記載の連続加熱装置によれば、前記スリットノズルを二対で構成し、全てのスリットノズルを前記加熱中心位置に向けて吹き付けるように構成したので、一層均一に周囲から加熱することができ、しわやムラの発生を防止して熱収縮性フィルムを加熱収縮させて装着することができる。
【００４２】
また、この発明の請求項５記載の連続加熱装置によれば、前記スリットノズルを二対で構成し、一対のスリットノズルを前記加熱中心位置に向けた方向に対する角度より大きく前記搬送方向と直交する方向に対する角度より小さい角度で吹き付けるように構成したので、二対の対角位置のスリットノズルのうち中心に向けた一対のスリットノズルと前記加熱中心に向けた方向に対する角度より大きく前記搬送方向と直交する方向に対する角度より小さい角度の一対のスリットノズルを組み合わせて熱風または蒸気を吹きつける場合でも、被装着体の前後に位置する部分を均一かつ十分に加熱することができる。
【００４３】
さらに、この発明の請求項６記載の連続加熱装置によれば、前記本加熱部に設ける搬送手段を、少なくとも前記被装着体を吸引して搬送可能な搬送手段としたので、内容物が入っていない状態でも安定して搬送することができ、熱収縮性フィルムを安定した状態で加熱収縮させて装着することができる。
【００４４】
また、この発明の請求項７記載の連続加熱装置によれば、前記被装着体が、異形ボトルであっても熱収縮性フィルムを均一に加熱収縮させてしわやムラの発生を防止して装着することができる。
【発明を実施するための最良の形態】
【００４５】
以下、この発明の連続加熱装置の一実施の形態を図面に基づき詳細に説明する。  
図１〜図４はこの発明の連続加熱装置を、熱収縮性フィルムであるシュリンクラベルを異形ボトルに加熱収縮させて装着する場合のシュリンクオーブンに適用した一実施の形態にかかり、図１は概略平面図、図２は概略縦断面図,図３は概略横断面図、図４はスリットノズルの平面配置図である。
【００４６】
この発明の連続加熱装置１は、例えばすでに図６で説明した胴部の横断面形状が上下方向に一定でなく胴部に凹凸を備える異形ボトルＢ１などの被装着体２に熱収縮性フィルムで構成した環状のシュリンクラベル３をかぶせた後、一様に熱風あるいは蒸気で加熱収縮させることで、しわやムラの発生を防止して装着できるようにするものである。
【００４７】
この連続加熱装置１は、外周が塞がれたトンネル状の加熱部１０を備えるとともに、加熱部の底部分に異形ボトルＢ１などの被装着体２を連続的に搬送するための搬送装置１３が設置してある。
【００４８】
この連続加熱装置１の加熱部１０は、例えば２つのゾーンに分割され、上流側にシュリンクラベル３を収縮開始温度の手前まで加熱する予備加熱部１１が設けられ、この予備加熱部１１の搬送方向Ｘの下流側に連続してシュリンクラベル３を収縮させて装着する本加熱部１２を設けて構成してある。
【００４９】
予備加熱部１１は、トンネル状の予備加熱部本体１１ａの搬送方向Ｘの両側に熱風あるいは蒸気（なお、以下、熱風の場合を例に説明する。）が入る熱風チャンバ１１ｂが設けられており、これら対向する熱風チャンバ１１ｂには、図２に示すように、多数の孔で構成されたノズル板１１ｃが取り付けられて一様に熱風が吹き出すようになっているパイプノズル方式としてある。
【００５０】
そして、この予備加熱部１１での温度や吹き出し範囲などの加熱条件は、加熱収縮させるシュリンクラベルの材質や面積、異形ボトルなどの被装着体２への装着位置によって設定されるが、例えば熱風の温度を７０〜１００℃、好ましくは８０〜９０℃、風速を５〜１５ｍ／ｓ、好ましくは１０ｍ／ｓ程度として吹き付けことで、予備加熱部１１を通過する間に、シュリンクラベル３を熱収縮が起こる手前まで加熱するようになっている。
【００５１】
したがって、この予備加熱部１１において、被装着体２にかぶせるようにしたシュリンクラベル３は、搬送装置１３で搬送される間に両側のノズル板１１ｃから吹きつけられる熱風で比較的緩やかに加熱されてシュリンクラベル３全体が均一に加熱される。
【００５２】
また、予備加熱部１１での加熱の際、部分的に熱風（あるいは蒸気）の吹き付け量を増加させてシュリンクラベル３を加熱して被装着体に一部を仮止めするようにしても良い。
【００５３】
これにより、搬送中あるいは次工程の本加熱部１２に入って吹き付けられる熱風や蒸気によるシュリンクラベル３のずれを防止することができる。
【００５４】
このような予備加熱部１１に連続して設置される本加熱部１２では、予備加熱されたシュリンクラベル３を短時間に均一に加熱収縮させることが、被装着体２が異形ボトルなどであってもしわやムラの発生を抑制するのに有効であることから、大量の熱風を直接吹き付けること等で短時間に加熱できるようにしている。
【００５５】
この本加熱部１２は、予備加熱部本体１１ａと同一外形のトンネル状の本加熱部本体１２ａを備え、この本加熱部本体１２ａの内側に横断面形状がコ字状の熱風が入る熱風チャンバ１２ｂが、下方が開口するように設けてある。
【００５６】
そして、この熱風チャンバ１２ｂには、図１に示すように、搬送装置１３で搬送される被装着体２の加熱開始位置に接近したある加熱位置を仮想してこれを加熱中心位置Ｏｈとして設定する。この仮想位置である加熱中心位置Ｏｈに搬送される被装着体２に向けて熱風を吹き付けるスリットノズル１２ｃが熱風チャンバ１２ｂの搬送方向Ｘの両側に、加熱中心位置Ｏｈに対して略点対称に向かい合う位置に少なくとも二対配置して取り付けてあり、ここでは図４（ａ）に示すように、搬送方向Ｘにそれぞれ４５度で交差して加熱中心位置Ｏｈを通る２対の対角位置に加熱中心位置Ｏｈから等距離に４個のスリットノズル１２ｃを配置して点対称の４箇所に設けてある。
【００５７】
したがって、この仮想位置である加熱中心位置Ｏｈでは、被装着体２の前後二ヶ所ずつの４個のスリットノズル１２ｃから熱風を直接吹き付けることができるスリットノズル方式として加熱収縮させるようになっている。
【００５８】
この本加熱部１２での温度や吹き出し範囲などの加熱条件は、加熱収縮させるシュリンクラベルの材質や面積、異形ボトルなどの被装着体２への装着位置によって設定されるが、予備加熱部１１に比べて温度が高く、大量の熱風を吹き付けることができるよう、例えば熱風の温度を１００〜１８０℃、好ましくは１２０〜１６０℃、風速を２０〜５０ｍ／ｓ、好ましくは３０ｍ／ｓ程度として吹き付けことで、加熱中心位置Ｏｈで短時間に加熱してシュリンクラベル２を均一に収縮させることができるようになっている。
【００５９】
また、この本加熱部１２では、大量の高温の熱風を吹き付けるため、本加熱部本体１２ａ内だけに熱風がとどまらず上流側の予備加熱部本体１１ａ内に流入し予備加熱部での温度制御異常が発生したり、下流側から流出する恐れがあるため、熱風を循環できるようにしてある。
【００６０】
この本加熱部１２では、予備加熱部本体１１ａとの間に加熱部仕切り板１２ｄを配置するとともに、上流側のスリットノズル１２ｃと加熱部仕切り板１２ｄとの間に仕切り部材として本加熱部内仕切り板１２ｅが取り付けてあり、被装着体２が通過できる最小の開口部として熱風の流れを遮るようにしてある。
【００６１】
そして、本加熱部本体１２ａの天面部に熱風ブロア１２ｆの吸引口１２ｇが形成され、本加熱部本体１２ａ内に噴射した加熱後の熱風を二つの仕切り板１２ｄ，１２ｅの間を回収口部１２ｈとするとともに、熱風チャンバ１２ｂの下流側などから吸引して循環できるようにしてある。
【００６２】
また、スリットノズル１２ｃが取り付けられている熱風チャンバ１２ｂの下端部には、本加熱部本体１２ａの底部との間に隙間が形成されて下部回収口部１２ｉとしてあり、これら二つの仕切り板１２ｄ，１２ｅの間の回収口部１２ｈおよび下部回収口部１２ｉから加熱後の熱風を熱風ブロア１２ｆの吸引口１２ｇに導いて吸引して循環できるようにしてある。
【００６３】
したがって、この本加熱部１２では、本加熱部本体１２ａ内に４個のスリットノズル１２ｃから加熱中心位置Ｏｈの被装着体２のシュリンクラベル３に向けて吹き付けた熱風は、シュリンクラベル３の加熱収縮に利用された後、上流側への流出が２つの仕切り板１２ｄ、１２ｅで遮られるとともに、熱風ブロア１２ｆによる吸引で強制的に吸引回収され、再び加熱してスリットノズル１２ｃから噴射する熱風として循環される。
【００６４】
これにより、搬送方向Ｘの上流側の２つのスリットノズル１２ｃの手前に熱風が溢れることで被装着体２のシュリンクラベル３の部分加熱による部分収縮が始まることを防止して４つのスリットノズル１２ｃからの大量かつ高温の熱風でいっきに加熱することができ、シュリンクラベル３にしわやムラを生じさせることなく異形ボトルなどの被装着体２であっても均一に収縮させて装着することができる。
【００６５】
また、４つのスリットノズル１２ｃで周囲４方向から直接熱風を当てるようにするので、従来例のように旋回による渦を形成して加熱する場合に比べ、被装着体の外側に被せたシュリンクラベルが回転するように移動したり、安定しなくなることがなく、外側から押し付けるようにして安定した状態で所定位置にシュリンクラベルを加熱収縮させて装着することができる。
【００６６】
さらに、熱風を回収して循環させることで、予備加熱部への熱風の流入を防止することができ、予備加熱部での温度制御異常の発生を防止することができるとともに、本加熱部で加熱温度や吹き出す風量の制御が容易にでき、一層効率的にシュリンクラベル３を加熱収縮させることが可能となる。
【００６７】
このようにして大量の高温の熱風を吹き付けてシュリンクラベル３を加熱収縮させるため、本加熱部１２内を搬送する容器等の被装着体２が熱風によって転倒したり、円滑に搬送されない場合があり、特に内容物が充填されていない容器等を被装着体２とする場合には、一層大きな問題となる。
【００６８】
そこで、この本加熱部１２に配置される搬送装置１３の底部に、バキュームブロア（真空吸引装置）１２ｋが設置されてバキュームコンベア１３ａを構成するようにしてあり、被装着体２である容器等の底部を吸引しながら搬送することで、転倒を防止して所定の速度および間隔で搬送できるようにしてある。
【００６９】
このように構成した連続加熱装置１によれば、非対称三次元ボトルなどの異形ボトルであってもシュリンクラベルを均一に収縮させてしわやムラを発生させることなく装着することができる。
【００７０】
また、大量かつ高温の熱風で加熱中心位置に搬送された異形ボトルなどにシュリンクラベルを極短時間に加熱収縮させることができるので、本加熱部を短くすることができ、連続加熱装置１の設置スペースを小さくして、省スペースとすることができる。
【００７１】
なお、上記実施の形態では、図４（ａ）に示すように、仮想した加熱中心位置Ｏｈを通る二対の対角位置の４箇所のスリットノズルから熱風を吹き出すようにしたが、実験によれば、同図（ｂ）に示すように、仮想した加熱中心位置Ｏｈを通る二対の対角位置の４箇所のスリットノズルのうち、一対の対角位置の前後２箇所のスリットノズル１２ｃを加熱中心に向け、もう一対の対角位置の２つのスリットノズル１２ｃ´を加熱中心Ｏｈに向けた方向に対する角度より大きく搬送方向Ｘと直交する方向に対する角度より小さい角度として配置しても均一に加熱して熱収縮させることができることが分かっている。
【００７２】
また、実験によれば、図４（ｃ）に示すように、４箇所のスリットノズルから加熱中心位置Ｏｈに向けて吹き付ける場合は、対角位置の２つのスリットノズル１２ｃとほぼ対角位置（角度のずれが±１０度位）の２つのスリットノズル１２ｃ´を組み合わせて設置してあっても、均一に加熱して収縮させることができることが分かっている。
【００７３】
しかし、図５に示すように、仮想した加熱中心位置Ｏｈを通る二対の対角位置に設置した４箇所のスリットノズルから吹き付ける場合でも、少なくとも一対の対角位置のスリットノズルが前後から加熱中心に向けて吹き付けるように設置してない場合には、均一に加熱することができず、シュリンクラベルにしわやムラが発生してしまう。
【００７４】
したがって、搬送される被装着体に加熱中心位置を仮想してこの加熱中心に対して略点対称に向かい合う位置に少なくとも二対のスリットノズルを配置し、このうちの少なくとも一対のスリットノズルからは当該加熱中心に向けて熱風または蒸気を吹き付けるようにする必要がある。
【００７５】
また、予備加熱部や本加熱部の加熱条件は、上記実施の形態での説明は、例示に過ぎず、これらに限るものでなく、他の加熱条件としても良く、適宜設定すれば良い。
【００７６】
さらに、スリットノズルは少なくとも２対４個必要であるが、さらに設置対数を増加しても良い。
【００７７】
また、加熱媒体は、熱風に限らず、蒸気を用いるようにしても良い。
【図面の簡単な説明】
【００７８】
【図１】この発明の連続加熱装置を、熱収縮性フィルムであるシュリンクラベルを異形ボトルに加熱収縮させて装着する場合のシュリンクオーブンに適用した一実施の形態にかかる概略平面図である。
【図２】この発明の連続加熱装置の一実施の形態にかかる概略縦断面図である。
【図３】この発明の連続加熱装置の一実施の形態にかかる概略横断面図である。
【図４】この発明の連続加熱装置のそれぞれ一実施の形態にかかるスリットノズルの平面配置図である。
【図５】連続加熱装置での比較例としてのスリットノズルの平面配置図である。
【図６】この発明の連続加熱装置の一実施の形態にかかる適用対象の一例である異形ボトルの説明図である。
【図７】従来の加熱装置のノズルの平面配置図である。
【符号の説明】
【００７９】
１          連続加熱装置
２          被装着体
３          熱収縮性フィルム（シュリンクラベル）
１０        加熱部
１１        予備加熱部
１１ａ      予備加熱部本体
１１ｂ      熱風チャンバ
１１ｃ      ノズル板
１２        本加熱部
１２ａ      本加熱部本体
１２ｂ      熱風チャンバ
１２ｃ      スリットノズル
１２ｃ´    スリットノズル
１２ｄ      加熱部仕切り板
１２ｅ      本加熱部内仕切り板
１２ｆ      熱風ブロア
１２ｇ      吸引口
１２ｈ      吸い込み口
１２ｉ      下部回収口部
１２ｊ      バキュームチャンバ
１２ｋ      バキュームブロア
１３        搬送装置
１３ａ      バキュームコンベア
Ｏｈ        加熱中心位置
Ｘ          搬送方向
【図１】
0004830463.tif 000002
【図２】
0004830463.tif 000003
【図３】
0004830463.tif 000004
【図４】
0004830463.tif 000005
【図５】
0004830463.tif 000006
【図６】
0004830463.tif 000007
【図７】
0004830463.tif 000008